(57)【特許請求の範囲】
【請求項１】
連続する複数の被焼鈍材のそれぞれに、所定間隔ごとに設定変更点を設定する設定変更点設定ステップと、
前記設定変更点ごとに、前記被焼鈍材における入側制約炉速、中央制約炉速、および出側制約炉速を比較して、最も低い炉速を初期最適炉速として設定する初期炉速設定ステップと、
前記設定変更点ごとの前記初期最適炉速、および前記被焼鈍材ごとの諸元に基づく板温上限値から、伝熱モデルによって炉温設定上限値を算出する炉温上限算出ステップと、
前記設定変更点ごとの前記初期最適炉速、および前記被焼鈍材ごとの諸元に基づく板温下限値から、前記伝熱モデルによって炉温設定下限値を算出する炉温下限算出ステップと、
前記設定変更点ごとに、前記炉温設定上限値と前記炉温設定下限値との間の炉温を、炉温目標値として設定する炉温設定ステップと、
前記連続する複数の被焼鈍材のうちの、先行する第１の被焼鈍材と、前記第１の被焼鈍材の後端に接合される第２の被焼鈍材との接合部の前後において、
前記第１の被焼鈍材における炉温設定下限値以上炉温設定上限値以下の範囲と、前記第２の被焼鈍材における炉温設定下限値以上炉温設定上限値以下の範囲との重なりの温度範囲が所定値以下であるか否かを検出する重複範囲検出ステップと、
前記重複範囲検出ステップにおいて検出された前記重なりの温度範囲が前記所定値以下である場合に、前記第１の被焼鈍材における炉温設定下限値と前記第２の被焼鈍材における炉温設定下限値との低い方を判別する炉温下限判別ステップと、
前記炉温下限判別ステップにおいて判別された前記炉温設定下限値の低い側の被焼鈍材における初期最適炉速を低下させた炉速目標値を設定する炉速設定低下ステップと、
前記炉温下限判別ステップにおいて判別された前記炉温設定下限値の低い側の被焼鈍材における前記設定変更点ごとの前記炉速目標値、および前記被焼鈍材ごとの諸元に基づく板温上限値から、前記伝熱モデルによって炉温設定上限値を再度算出するステップと、
前記炉温下限判別ステップにおいて判別された前記炉温設定下限値の低い側の被焼鈍材における前記設定変更点ごとの前記炉速目標値、および前記被焼鈍材ごとの諸元に基づく板温下限値から、前記伝熱モデルによって炉温設定下限値を再度算出するステップと、
前記重複範囲検出ステップ、前記炉温下限判別ステップ、前記炉速設定低下ステップ、前記炉温上限を再度算出するステップおよび前記炉温下限を再度算出するステップを、前記重複範囲検出ステップにおいて前記重なりの温度範囲が所定値より大きくなるまで繰り返し行う炉速炉温設定変更ステップと、
を含むことを特徴とする連続焼鈍ラインの制御方法。
【請求項２】
前記設定変更点ごとに前記炉温目標値が変化する際の変化速さを、焼鈍炉における炉温の変化速さについて決められた限度以下になるように設定する炉温変更平滑化ステップを含むことを特徴とする請求項１に記載の連続焼鈍ラインの制御方法。
【請求項３】
前記設定変更点ごとに前記炉速目標値が変化する際の加速度を、焼鈍炉における加速度の下限値以上上限値以下になるように設定する炉速変更平滑化ステップを含むことを特徴とする請求項１または２に記載の連続焼鈍ラインの制御方法。
【請求項４】
前記設定変更点ごとに、前記炉速目標値および前記炉温目標値から、伝熱モデルによって前記被焼鈍材の板温値を算出する板温算出ステップと、前記板温算出ステップにおいて算出された前記設定変更点ごとの板温値が、前記設定変更点ごとの前記初期最適炉速、および前記被焼鈍材ごとの諸元に基づく板温上限値と前記設定変更点ごとの前記初期最適炉速、および前記被焼鈍材ごとの諸元に基づく板温下限値との間であるか否かを判定する板温値判定ステップと、を含むことを特徴とする請求項１〜３のいずれか１項に記載の連続焼鈍ラインの制御方法。
【請求項５】
前記被焼鈍材の送り量または時刻に沿って、前記炉速目標値、前記炉温目標値、前記板温上限値、前記板温下限値、および前記板温値を、前記連続焼鈍ラインにおける表示手段に同時に表示するガイダンス表示ステップを含むことを特徴とする請求項４に記載の連続焼鈍ラインの制御方法。
【請求項６】
前記連続焼鈍ラインにおける前記被焼鈍材の送り量または時刻に従って、焼鈍されている時点の被焼鈍材の現在位置を示す基準と、前記基準から過去の領域における、前記被焼鈍材の炉速の実績値、炉温の実績値、および前記被焼鈍材の板温の実績値と、前記基準から未来の領域における、前記炉速目標値のスケジュール、前記炉温目標値のスケジュール、および前記板温値のスケジュールとを同時に表示することを特徴とする請求項５に記載の連続焼鈍ラインの制御方法。
【請求項７】
連続する複数の被焼鈍材のそれぞれに、所定間隔ごとに設定変更点を設定する設定変更点設定手段と、
前記設定変更点ごとに、前記被焼鈍材における入側制約炉速、中央制約炉速、および出側制約炉速を比較して、最も低い炉速を初期最適炉速として設定する初期炉速設定手段と、
前記設定変更点ごとの前記初期最適炉速、および前記被焼鈍材ごとの諸元に基づく板温上限値から、伝熱モデルによって炉温設定上限値を算出する炉温上限算出手段と、
前記設定変更点ごとの前記初期最適炉速、および前記被焼鈍材ごとの諸元に基づく板温下限値から、前記伝熱モデルによって炉温設定下限値を算出する炉温下限算出手段と、
前記設定変更点ごとに、前記炉温設定上限値と前記炉温設定下限値との間の炉温を、炉温目標値として設定する炉温設定手段と、
前記連続する複数の被焼鈍材のうちの、先行する第１の被焼鈍材と、前記第１の被焼鈍材の後端に接合される第２の被焼鈍材との接合部の前後において、
前記第１の被焼鈍材における炉温設定下限値以上炉温設定上限値以下の範囲と、前記第２の被焼鈍材における炉温設定下限値以上炉温設定上限値以下の範囲との重なりの温度範囲が所定値以下であるか否かを検出する重複範囲検出ステップを行う重複範囲検出手段と、
前記重複範囲検出ステップにおいて検出された前記重なりの温度範囲が前記所定値以下である場合に、前記第１の被焼鈍材における炉温設定下限値と前記第２の被焼鈍材における炉温設定下限値との低い方を判別する炉温下限判別ステップを行う炉温下限判別手段と、
前記炉温下限判別ステップにおいて判別された前記炉温設定下限値の低い側の被焼鈍材における初期最適炉速を低下させた炉速目標値を設定する炉速設定低下ステップを行う炉速設定低下手段と、
炉速炉温設定変更手段と、を備え、
前記炉温上限算出手段は、前記炉温下限判別ステップにおいて判別された前記炉温設定下限値の低い側の被焼鈍材における前記設定変更点ごとの前記炉速目標値、および前記被焼鈍材ごとの諸元に基づく板温上限値から、前記伝熱モデルによって炉温設定上限値を再度算出するステップを行い、
前記炉温下限算出手段は、前記炉温下限判別ステップにおいて判別された前記炉温設定下限値の低い側の被焼鈍材における前記設定変更点ごとの前記炉速目標値、および前記被焼鈍材ごとの諸元に基づく板温下限値から、前記伝熱モデルによって炉温設定下限値を再度算出するステップを行い、
前記炉速炉温設定変更手段は、前記重複範囲検出ステップ、前記炉温下限判別ステップ、前記炉速設定低下ステップ、前記炉温上限を再度算出するステップおよび前記炉温下限を再度算出するステップを、前記重複範囲検出ステップにおいて前記重なりの温度範囲が所定値より大きくなるまで繰り返し行うことを特徴とする連続焼鈍ラインの制御装置。
【発明の詳細な説明】
【技術分野】
【０００１】
本発明は、連続焼鈍ラインにおける被焼鈍材のライン搬送速度および焼鈍炉の炉温の設定を行う連続焼鈍ラインの制御方法および制御装置に関する。
【背景技術】
【０００２】
連続焼鈍ラインは、入側で先行する前コイルの後端と次に続く次コイルの先端とを溶接により接合し、このコイルを２０００ｍ以上の焼鈍炉の中に通過させることによって焼鈍する装置である。この焼鈍において、コイルを焼鈍炉内で停止させたり大きく減速させたりすると、コイルの焼鈍炉内を通過する時間が変化してしまい、製品となる鋼板の品質を一定にすることができなくなる。
【０００３】
そこで、設備条件として、連続焼鈍ラインの入側と出側とにルーパを設けることにより、入側の溶接時における減速や停止、または出側のコイルカットによる減速や停止によっても、焼鈍炉の内部を通過するコイルの搬送速度があまり変更しないように制御している。
【０００４】
また、コイルの焼鈍条件は、コイルの冶金特性および機械的性質から、１コイル単位で決められている。そして、連続焼鈍ラインの焼鈍炉の操業においては、主に、加熱炉の出側の板温目標値と均熱炉の出側の板温目標値とから与えられる焼鈍条件を満たすように、加熱炉や均熱炉の炉温目標値および炉速目標値が設定され、操業条件が決定される。
【０００５】
この操業条件を決定する方法としては、特許文献１に記載された技術が提案されている。特許文献１には、鋼板（コイル）の諸元が変化する過程において、炉から鋼板への入熱モデルおよび炉の熱応答などから、最適な炉温および炉速遷移経路を求める技術が開示されている。
【０００６】
また、特許文献２には、まず入側制約炉速、中央制約炉速、および出側制約炉速をコイル単位で算出した後、コイルの搬送に伴って制約条件が発生するタイミングに応じて炉速を変化させる方法が開示されている。このような方法によれば、コイルの炉速を設備能力における最大の炉速とすることが可能になる。
【０００７】
しかしながら、炉速は通常、上述した入側のルーパおよび出側のルーパの使用量、すなわち、入側コイルや出側コイルの切替時間とルーパの設備容量との関係に基づいて変更する必要がある。
【０００８】
具体的には、入側のルーパにおいては、入側でのコイルの切り替えおよび溶接が行われてから、コイルが再度加速されてルーパの板速度が焼鈍炉の炉速と等しくなるまでの間において、蓄積したコイルが払い出される。また、この入側のルーパにおいては、蓄積したコイルが払い出されてから、次のコイルの切り替えが生じるまでの間において、焼鈍炉の炉速よりも速い速度でコイルの再蓄積が行われる。
【０００９】
このような入側のルーパの動作に起因して、焼鈍炉におけるコイルの炉速と入側での板速度との差が大きくなるほど、入側のルーパにおける必要な蓄積量が増加する。具体的には、入側でのコイルの切り替えに伴う溶接などのコイル切替シーケンスやコイルの長さに応じて、１本のコイルごとに必要なルーパ量が異なる。すなわち、ルーパ量がコイルに依存するので、設備定数として与えられたルーパの使用可能な蓄積量に対して、実現可能な炉速の上限がコイルごとに異なる。なお、このような制約は、出側でのコイルの切り替えにおいても同様に存在する。
【先行技術文献】
【特許文献】
【００１０】
【特許文献１】特公昭６３−０３４２１０号公報
【特許文献２】特許第２９１０５０６号公報
【発明の概要】
【発明が解決しようとする課題】
【００１１】
ところが、特許文献１に記載された技術においては、このような入側のコイルや出側のコイルの切替時間の影響が考慮されていない。そのため、特許文献１に記載された技術は、コイルの切替時間を無視できる余裕のある条件、具体的には、焼鈍炉の炉速が入側のルーパおよび出側のルーパの容量に基づく炉速の許容値に比して十分に小さいという、限定された条件下でしか適用できない。
【００１２】
また、特許文献２に記載された技術においては、入側の制約や出側の制約を考慮して炉速を決定しているが、決定した炉速に対する炉温の設定をどのように決定するかについては開示されていない。
【００１３】
一般に、炉温は、その時定数が１０〜１５分程度と長時間であることから、緩やかに変化する一方、炉速は、その加速度が数１０ｍｐｍ／ｓ程度であることから、比較的大きく変化させることが可能である。ただし、炉温設定を考慮することなく炉速を変化させると、鋼板の板温が炉速に従属してしまうので、コイルである被焼鈍材の諸元で与えられる焼鈍炉の出側における板温が所望の板温にならないという問題が生じる。
【００１４】
すなわち、特許文献２に記載された技術は、連続して焼鈍される複数の被焼鈍材における諸元が相互に類似し、これらの被焼鈍材が長時間通板される際の炉温設定や制約条件があまり変化しない場合にしか適用することができない。換言すると、特許文献２に記載された技術は、連続して焼鈍される複数の被焼鈍材においてその諸元が相互に大きく異なり、必要な炉温や炉速が被焼鈍材ごとに大きく変更される場合には、適用することができない。
【００１５】
本発明は、上記課題に鑑みてなされたものであり、その目的は、連続して焼鈍される複数の被焼鈍材において諸元が相互に大きく異なる場合でも、炉温の設定を考慮しつつ炉速の設定を行うことができ、被焼鈍材の焼鈍における最適な炉温と最適な炉速とを関連調和させて設定することができる連続焼鈍ラインの制御方法および制御装置を提供することにある。
【課題を解決するための手段】
【００１６】
上述した課題を解決し、目的を達成するために、本発明に係る連続焼鈍ラインの制御方法は、連続する複数の被焼鈍材のそれぞれに、所定間隔ごとに設定変更点を設定する設定変更点設定ステップと、設定変更点ごとに、被焼鈍材における入側制約炉速、中央制約炉速、および出側制約炉速を比較して、最も低い炉速を初期最適炉速として設定する初期炉速設定ステップと、設定変更点ごとの初期最適炉速、および被焼鈍材ごとの諸元に基づく板温上限値から、伝熱モデルによって炉温設定上限値を算出する炉温上限算出ステップと、設定変更点ごとの初期最適炉速、および被焼鈍材ごとの諸元に基づく板温下限値から、伝熱モデルによって炉温設定下限値を算出する炉温下限算出ステップと、設定変更点ごとに、炉温設定上限値と炉温設定下限値との間の炉温を、炉温目標値として設定する炉温設定ステップと、連続する複数の被焼鈍材のうちの、先行する第１の被焼鈍材と、第１の被焼鈍材の後端に接合される第２の被焼鈍材との接合部の前後において、第１の被焼鈍材における炉温設定下限値以上炉温設定上限値以下の範囲と、第２の被焼鈍材における炉温設定下限値以上炉温設定上限値以下の範囲との重なりの温度範囲が所定値以下であるか否かを検出する重複範囲検出ステップと、重複範囲検出ステップにおいて検出された重なりの温度範囲が所定値以下である場合に、第１の被焼鈍材における炉温設定下限値と第２の被焼鈍材における炉温設定下限値との低い方を判別する炉温下限判別ステップと、炉温下限判別ステップにおいて判別された炉温設定下限値の低い側の被焼鈍材における初期最適炉速を低下させた炉速目標値を設定する炉速設定低下ステップと、炉温下限判別ステップにおいて判別された炉温設定下限値の低い側の被焼鈍材における設定変更点ごとの炉速目標値、および被焼鈍材ごとの諸元に基づく板温上限値から、伝熱モデルによって炉温設定上限値を再度算出するステップと、
炉温下限判別ステップにおいて判別された炉温設定下限値の低い側の被焼鈍材における設定変更点ごとの炉速目標値、および被焼鈍材ごとの諸元に基づく板温下限値から、伝熱モデルによって炉温設定下限値を再度算出するステップと、重複範囲検出ステップ、炉温下限判別ステップ、炉速設定低下ステップ、炉温上限を再度算出するステップおよび炉温下限を再度算出するステップを、重複範囲検出ステップにおいて重なりの温度範囲が所定値より大きくなるまで繰り返し行う炉速炉温設定変更ステップと、を含むことを特徴とする。
【００１８】
本発明に係る連続焼鈍ラインの制御方法は、上記の発明において、設定変更点ごとに炉温目標値が変化する際の変化速さを、焼鈍炉における炉温の変化速さについて決められた限度以下になるように設定する炉温変更平滑化ステップを含むことを特徴とする。
【００１９】
本発明に係る連続焼鈍ラインの制御方法は、上記の発明において、設定変更点ごとに炉速目標値が変化する際の加速度を、焼鈍炉における加速度の下限値以上上限値以下になるように設定する炉速変更平滑化ステップを含むことを特徴とする。
【００２０】
本発明に係る連続焼鈍ラインの制御方法は、上記の発明において、設定変更点ごとに、炉速目標値および炉温目標値から、伝熱モデルによって被焼鈍材の板温値を算出する板温算出ステップと、板温算出ステップにおいて算出された設定変更点ごとの板温値が、設定変更点ごとの初期最適炉速、および被焼鈍材ごとの諸元に基づく板温上限値と設定変更点ごとの初期最適炉速、および被焼鈍材ごとの諸元に基づく板温下限値との間であるか否かを判定する板温値判定ステップと、を含むことを特徴とする。
【００２１】
本発明に係る連続焼鈍ラインの制御方法は、上記の発明において、被焼鈍材の送り量または時刻に沿って、炉速目標値、炉温目標値、板温上限値、板温下限値、および板温値を、連続焼鈍ラインにおける表示手段に同時に表示するガイダンス表示ステップを含むことを特徴とする。また、好適には、連続焼鈍ラインにおける被焼鈍材の送り量または時刻に従って、焼鈍されている時点の被焼鈍材の現在位置を示す基準と、基準から過去の領域における、被焼鈍材の炉速の実績値、炉温の実績値、および被焼鈍材の板温の実績値と、基準から未来の領域における、炉速目標値のスケジュール、炉温目標値のスケジュール、および板温値のスケジュールとを同時に表示することを特徴とする。
【００２２】
本発明に係る連続焼鈍ラインの制御装置は、連続する複数の被焼鈍材のそれぞれに、所定間隔ごとに設定変更点を設定する設定変更点設定手段と、設定変更点ごとに、被焼鈍材における入側制約炉速、中央制約炉速、および出側制約炉速を比較して、最も低い炉速を初期最適炉速として設定する初期炉速設定手段と、設定変更点ごとの初期最適炉速、および被焼鈍材ごとの諸元に基づく板温上限値から、伝熱モデルによって炉温設定上限値を算出する炉温上限算出手段と、設定変更点ごとの初期最適炉速、および被焼鈍材ごとの諸元に基づく板温下限値から、伝熱モデルによって炉温設定下限値を算出する炉温下限算出手段と、設定変更点ごとに、炉温設定上限値と炉温設定下限値との間の炉温を、炉温目標値として設定する炉温設定手段と、連続する複数の被焼鈍材のうちの、先行する第１の被焼鈍材と、第１の被焼鈍材の後端に接合される第２の被焼鈍材との接合部の前後において、第１の被焼鈍材における炉温設定下限値以上炉温設定上限値以下の範囲と、第２の被焼鈍材における炉温設定下限値以上炉温設定上限値以下の範囲との重なりの温度範囲が所定値以下であるか否かを検出する重複範囲検出ステップを行う重複範囲検出手段と、重複範囲検出ステップにおいて検出された重なりの温度範囲が所定値以下である場合に、第１の被焼鈍材における炉温設定下限値と第２の被焼鈍材における炉温設定下限値との低い方を判別する炉温下限判別ステップを行う炉温下限判別手段と、炉温下限判別ステップにおいて判別された炉温設定下限値の低い側の被焼鈍材における初期最適炉速を低下させた炉速目標値を設定する炉速設定低下ステップを行う炉速設定低下手段と、炉速炉温設定変更手段と、を備え、炉温上限算出手段は、炉温下限判別ステップにおいて判別された炉温設定下限値の低い側の被焼鈍材における設定変更点ごとの炉速目標値、および被焼鈍材ごとの諸元に基づく板温上限値から、伝熱モデルによって炉温設定上限値を再度算出するステップを行い、炉温下限算出手段は、炉温下限判別ステップにおいて判別された炉温設定下限値の低い側の被焼鈍材における設定変更点ごとの炉速目標値、および被焼鈍材ごとの諸元に基づく板温下限値から、伝熱モデルによって炉温設定下限値を再度算出するステップを行い、炉速炉温設定変更手段は、重複範囲検出ステップ、炉温下限判別ステップ、炉速設定低下ステップ、炉温上限を再度算出するステップおよび炉温下限を再度算出するステップを、重複範囲検出ステップにおいて重なりの温度範囲が所定値より大きくなるまで繰り返し行うことを特徴とする。
【発明の効果】
【００２３】
本発明に係る連続焼鈍ラインの制御方法および制御装置によれば、連続して焼鈍される複数の被焼鈍材において諸元が相互に大きく異なる場合でも、炉温の設定を考慮しつつ炉速の設定も行って、被焼鈍材において所定の間隔ごとに最適な炉温と最適な炉速とを併せて設定することができる。
【図面の簡単な説明】
【００２４】
【図１】図１は、本発明の一実施形態による連続焼鈍ラインの構成を示す図である。
【図２】図２は、本発明の一実施形態による連続焼鈍ラインで焼鈍される被焼鈍材ごとの板温の制約と、炉速および炉温の制約とを説明するための略線図である。
【図３】図３は、本発明の一実施形態による連続焼鈍ラインにおける入側制約炉速について説明するためのタイミングチャートである。
【図４】図４は、本発明の一実施形態による連続焼鈍ラインにおける炉速スケジュールおよび炉温スケジュールの設定方法を示すフローチャートである。
【図５】図５は、本発明の一実施形態による、出側制約、中央制約、および入側制約の制約発生タイミングおよび制約終了タイミングと、被焼鈍材における設定変更点について説明するための模式図である。
【図６】図６は、本発明の一実施形態による連続焼鈍ラインにおける炉速および炉温の設定方法を示すタイミングチャートである。
【図７】図７は、本発明の一実施形態による連続焼鈍ラインにおける焼鈍の状態を表示するガイダンス画面の一部を示す略線図である。
【図８】図８は、本発明の一実施形態による連続焼鈍ラインにおける焼鈍の状態を表示するガイダンス画面の全体を示す略線図である。
【発明を実施するための形態】
【００２５】
以下に、本発明の一実施形態による連続焼鈍ラインについて説明する。なお、本発明は、この一実施形態に限定されるものではない。
【００２６】
（連続焼鈍ライン）
図１は、本発明の実施形態に係る連続焼鈍ラインの構成を示す概略図である。図１に示される連続焼鈍ライン１は、ペイオフリール２ａ，２ｂ、溶接機３、クリーニングセクション４、入側ルーパ５、焼鈍炉６、ウォータークエンチ設備７、出側ルーパ８、スキンパスミル９、後処理部１０、およびテンションリール１１ａ，１１ｂを備える。さらに、連続焼鈍ライン１は、テンションレベラ１２ａ，１２ｂ，１２ｃ，１２ｄおよびテンションコントロールユニット１３ａ，１３ｂなどの多数の駆動ロールを備える。
【００２７】
ペイオフリール２ａ，２ｂは、連続焼鈍ライン１に通板する被焼鈍材をコイル状に巻いたものである。このペイオフリール２ａ，２ｂを巻き戻すことにより、連続焼鈍ライン１に通板する被焼鈍材が連続焼鈍ライン１に順次送出される。また、連続焼鈍ライン１に通板される被焼鈍材は、先行の被焼鈍材の後端と後行の被焼鈍材の先端とが後段の溶接機３によって溶接され接合された後に、連続焼鈍ライン１に通板される。
【００２８】
クリーニングセクション４においては、被焼鈍材が液剤中などを高速通板することによって、被焼鈍材に付着した油脂などが取り除かれる。その後、被焼鈍材は、テンションレベラ１２ａ，１２ｂにより歪みが矯正され、入側ルーパ５に搬入される。
【００２９】
入側ルーパ５は、後段の焼鈍処理のために、被焼鈍材の張力を保ちながら被焼鈍材を一時待機させるためのものである。入側ルーパ５によってタイミング調整された被焼鈍材は、テンションコントロールユニット１３ａを経由されて、焼鈍炉６に搬入される。
【００３０】
焼鈍炉６は、加熱炉６ａ、均熱炉６ｂ、および冷却炉６ｃを備える。被焼鈍材を、これらの加熱炉６ａ、均熱炉６ｂ、および冷却炉６ｃに順次通板することによって、被焼鈍材を適切に焼鈍処理することができる。焼鈍後の被焼鈍材は、ウォータークエンチ設備７およびテンションコントロールユニット１３ｂを経由して、出側ルーパ８に搬入される。出側ルーパ８は、後段の後処理のために、被焼鈍材の張力を保ちながら被焼鈍材を一時待機させるためのものである。
【００３１】
スキンパスミル９は、テンションレベラ１２ｃ，１２ｄと協働して、出側ルーパ８から送出された被焼鈍材を調質圧延するための設備である。調質圧延された被焼鈍材は、後処理部１０を経由して、テンションリール１１ａ，１１ｂに巻き取られる。後処理部１０は、被焼鈍材から不要部分を切断するトリマ、被焼鈍材にオイルを塗るオイラー、検査プロセスで検出された不良部を切断するシャーなどを含むセクションである。
【００３２】
また、プロセスコンピュータ（プロコン）２０は、後述する方法に従って、炉速設定値、炉温設定値、および板温値を算出して、これらの炉速設定値および炉温設定値のスケジュールを導出し、そのデータを出力しつつ連続焼鈍ライン１を制御する制御装置である。炉速設定部２１は、炉速設定手段として機能するプロセスコンピュータ２０から供給される炉速目標設定値に基づいて、被焼鈍材の搬送速度を制御するための搬送速度制御手段である。炉温設定部２２は、炉温設定手段として機能するプロセスコンピュータ２０から供給される炉温設定値に基づいて、特に加熱炉６ａおよび均熱炉６ｂの炉温を制御するための炉温制御手段である。また、プロセスコンピュータ２０には、表示手段としての表示部２０ａが設けられており、被焼鈍材に関する、後述する炉速スケジュールや炉温スケジュールが表示される。
【００３３】
次に、上述のように構成された連続焼鈍ライン１における、被焼鈍材の炉速設定値および焼鈍炉６の炉温設定値の設定方法について説明する。
【００３４】
まず、この炉速設定値および炉温設定値の設定の前提となる制限について説明する。すなわち、図１に示す連続焼鈍ラインにおいては、種々の鋼板などの被焼鈍材が連続して焼鈍される。これらの種々の被焼鈍材の接合は、先行の被焼鈍材の後端と後行の被焼鈍材の先端とが溶接機３によって溶接されることにより行われる。一方、それぞれの被焼鈍材においては、要求される品質を確保するために、被焼鈍材ごとの諸元に基づいて、焼鈍炉６の均熱炉６ｂ内での板温を所定の温度範囲内にする必要がある。
【００３５】
図２は、焼鈍炉において焼鈍される先行被焼鈍材３１と後行被焼鈍材３２とが接合部３３において接合された状態と、この接合されたそれぞれの被焼鈍材３１，３２における諸元に基づく板温の許容温度範囲と、その際の炉速の速度範囲および炉温の温度範囲との一例を示す。
【００３６】
図２の例に示すように、先行被焼鈍材３１が均熱炉６ｂ（図１参照）を通過する際には、先行被焼鈍材３１の諸元によって被焼鈍材３１の板温を、θ31（℃）以上θ31'（℃）以下の範囲内にする必要がある。ところが、先行被焼鈍材３１の板温は直接制御することができない。そこで、先行被焼鈍材３１の板温をθ31（℃）以上θ31'（℃）以下にするために、熱伝導モデルに基づいて、焼鈍炉６の全般における炉速の範囲をＶ31（ｍｐｍ）以上Ｖ31'（ｍｐｍ）以下にするとともに、均熱炉６ｂの炉温の範囲をＴ31（℃）以上Ｔ31'（℃）以下にする必要がある。
【００３７】
同様に、後行被焼鈍材３２の板温をその諸元に基づいてθ32（℃）以上θ32'（℃）以下にするためには、焼鈍炉６の炉速の範囲をＶ32（ｍｐｍ）以上Ｖ32'（ｍｐｍ）以下にするとともに、均熱炉６ｂの炉温の範囲をＴ32（℃）以上Ｔ32'（℃）以下にする必要がある。
【００３８】
それぞれの先行被焼鈍材３１および後行被焼鈍材３２は、その接合部３３の前後においてもそれぞれ、上述した板温の許容温度範囲を満たす必要がある。この板温の許容温度範囲を満たす最も簡単な制御は、接合部３３の前後において板温をθ32（℃）以上θ31'（℃）以下の温度θ（℃）とする制御である。そして、図２において一点鎖線で示すように、板温をθ（℃）にするためには、例えば、それぞれの先行被焼鈍材３１および後行被焼鈍材３２の炉速ＶをＶ31（ｍｐｍ）以上Ｖ32'（ｍｐｍ）以下に制御するとともに、均熱炉６ｂの炉温ＴをＴ32（ｍｐｍ）以上Ｔ31'（ｍｐｍ）以下に制御する必要がある。
【００３９】
これによって、先行被焼鈍材３１および後行被焼鈍材３２は、その板温が間接的に制御され、接合部３３の前後において焼鈍炉６での炉速や炉温を大きく変化させることなく、それぞれの諸元による板温で焼鈍することができる。
【００４０】
上述の例においては、２つの被焼鈍材３１，３２の接合部３３の前後における、炉速および焼鈍炉６の炉温の制御について説明したが、実際には、被焼鈍材３１，３２の後続に、これらの被焼鈍材と諸元が異なる種々の被焼鈍材が順次接合されている。そのため、さらに後続に接合される種々の被焼鈍材の諸元に基づく板温の許容温度範囲の制約も考慮する必要がある。これにより、実際には、焼鈍炉６内における被焼鈍材３１，３２の炉速や炉温は、被焼鈍材ごとに逐次変更される。
【００４１】
また、上述のように被焼鈍材における板温の許容温度範囲の制約によって、炉速および炉温がそれぞれ制約されるが、同時に、焼鈍される被焼鈍材の処理時間を短縮することによる生産性の向上も要求されている。この要求を実現するには、焼鈍炉６内で被焼鈍材３１，３２を搬送する際の炉速を、上述した板温の許容温度範囲の制約に基づいた炉温の範囲を満たしつつ、最大にすることが望ましい。
【００４２】
さらに、焼鈍炉６の炉温は、その応答が遅いことから急激に変更させることができず、炉温の上昇速度および下降速度に制約がある。これにより、例えば後行被焼鈍材３２の焼鈍を行う際に、後行被焼鈍材３２の先端が均熱炉６ｂに到達する時に適切な炉温にしておくためには、先行被焼鈍材３１の後端が均熱炉６ｂに到達する前に、均熱炉６ｂの炉温の変更を開始する必要がある。
【００４３】
これらのことから、図２に示す例においては、炉速のグラフおよび炉温のグラフにおいて、被焼鈍材３１，３２の焼鈍炉６内における炉速および炉温を太実線で示すように制御する。これにより、被焼鈍材３１，３２の板温も、板温のグラフにおいて太実線で示すように変化される。
【００４４】
以上のように、被焼鈍材ごとに、その諸元に基づく板温の許容温度範囲が決定されているため、伝熱モデルによって、被焼鈍材ごとに焼鈍炉６における炉速や炉温も制約される。
【００４５】
図１に示す連続焼鈍ライン１の入側においては、先行の被焼鈍材のコイルが終了してから後行の被焼鈍材のコイルが設置される間や、先行の被焼鈍材の後端と後行の被焼鈍材の先端との接合時間などによって、入側ルーパ５での被焼鈍材の速度が変更される。この入側ルーパ５における被焼鈍材の速度の変更によって、その時点で焼鈍炉６に通板されている被焼鈍材の炉速が制約を受ける。このような入側での被焼鈍材への処理に基づいて制約される炉速の最大値を、入側制約炉速という。この入側制約炉速について、図３を参照しつつ説明する。
【００４６】
図３は、連続焼鈍ラインの入側の入側ルーパ５における被焼鈍材の搬送速度と、その時点での焼鈍炉６における被焼鈍材の炉速との時間経過を示すタイミングチャートである。図３に示すように、通常の焼鈍が行われている間は、入側ルーパ５および焼鈍炉６における被焼鈍材は、ともに焼鈍炉６において設定された炉速Ｖ0で搬送されている。その後、先行する被焼鈍材が終了する前の所定位置において、入側ルーパ５の減速が開始される。この開始時点が制約開始タイミングとなる。この制約開始タイミングは、この時点で先行する被焼鈍材の均熱炉６ｂに位置する部分の、長手方向に沿った位置情報とされる。
【００４７】
その後、先行する被焼鈍材が終了すると、入側ルーパ５における被焼鈍材の搬送が停止されて搬送速度が０となり、この間に先行する被焼鈍材の後端と後行する被焼鈍材の先端とが溶接機３により接合される。被焼鈍材の接合が終了すると、入側ルーパ５は被焼鈍材の搬送速度を増加させて被焼鈍材の蓄積を開始する。入側ルーパ５による被焼鈍材の搬送速度が焼鈍炉６において設定された被焼鈍材の炉速Ｖ0まで到達した時点で、制約が終了する。この終了時点が制約終了タイミングとなる。この制約終了タイミングは、この時点で先行する被焼鈍材の均熱炉６ｂに位置する部分の、長手方向に沿った位置情報とされる。
【００４８】
なお、制約終了タイミング後、入側ルーパ５は、被焼鈍材を焼鈍炉６の炉速Ｖ0より大きい所定速度まで加速して、この所定速度で一定時間経過させて焼鈍材を所定量蓄積した後、焼鈍炉６の炉速Ｖ0まで減速させる。
【００４９】
一方、上述した制約開始タイミングと制約終了タイミングとの間において、焼鈍炉６における被焼鈍材の炉速は、入側ルーパ５からすべての被焼鈍材が送出されないように、被焼鈍材の蓄積量（使用量）が考慮されて、所定の炉速まで減速される。この炉速が入側制約炉速となる。なお、入側制約炉速を決定する制約としては、入側ダウンタイムおよび入側ルーパ長による制約などがあり、具体的には、上述した入側ルーパ５による制約（入側ルーパ長制約）以外にも、装入コイル長制約や入側準備時間制約などがある。
【００５０】
このような制約は、出側ルーパ８による被焼鈍材の払い出しや後処理部１０における被焼鈍材の切断分割（コイルカット）などにおいても、被焼鈍材の搬送を停止させる必要があるため、同様に発生する。これらの出側ルーパ８や後処理部１０の処理によって焼鈍炉６において制約される炉速は、出側制約炉速となる。なお、出側制約炉速を決定する制約としては、出側ダウンタイムおよび出側ルーパ長による制約などがあり、具体的には、上述した出側ルーパ８や後処理部１０による制約（出側ルーパ長制約）以外にも、分割長制約や出側準備時間制約などがある。また、出側制約炉速の制約開始タイミングや制約終了タイミングについても、入側制約炉速と同様に決定され、被焼鈍材の長手方向に沿った位置情報とされる。
【００５１】
また、上述した焼鈍炉６において制約される炉速は、中央制約炉速（炉制約炉速）となる。中央制約炉速を決定する制約としては、炉負荷燃焼および熱処理方法による制約などであり、具体的には、炉燃焼負荷制約、均熱時間制約、過時効時間制約、および設備制約などがある。また、中央制約炉速の制約開始タイミングや制約終了タイミングについても、入側制約炉速や出側制約炉速と同様に決定され、被焼鈍材の長手方向に沿った位置情報とされる。
【００５２】
次に、上述した入側制約炉速、中央制約炉速、および出側制約炉速に基づいて、炉速スケジュールおよび炉温スケジュールを設定する方法について説明する。図４は、この一実施形態による連続焼鈍ラインの制御に用いられる炉速スケジュールおよび炉温スケジュールの設定方法を示すフローチャートである。なお、この炉速スケジュールおよび炉温スケジュールの設定は、オペレータが図１に示すプロセスコンピュータ２０に入力する情報データに基づいて、プロセスコンピュータ２０内部の情報処理部（図示せず）が所定のプログラムを実行することにより行われる。
【００５３】
図４に示すように、まず、ステップＳＴ１においては、プロセスコンピュータ２０（図１参照）に被焼鈍材ごとのコイル諸元の情報データを入力すると、これらのコイル諸元のデータに基づいて、入側制約炉速、中央制約炉速、および出側制約炉速が求められる。これらの制約炉速の算出に伴って、被焼鈍材の搬送に従ったそれぞれの制約炉速の制約発生タイミングと制約終了タイミングとが、被焼鈍材の長手方向に沿った位置情報として設定される。
【００５４】
次に、ステップＳＴ２に移行して、プロセスコンピュータ２０により、複数の被焼鈍材におけるそれぞれのコイル諸元に基づいて、それぞれの被焼鈍材の先端から長手方向に沿って所定間隔Ｌ（ｍ）ごと、具体的には例えば１００ｍごとに設定変更点が設定される。このとき、プロセスコンピュータ２０は設定変更点設定手段として機能する。
【００５５】
図５は、上述のステップＳＴ１およびＳＴ２を経た後の被焼鈍材に対する設定状態を示す模式図である。すなわち、図５は、この一実施形態による被焼鈍材に設定された設定変更点と、それぞれの制約炉速の制約発生タイミングと制約終了タイミングとの一例を示す図である。
【００５６】
図５に示すように、先行する第１の被焼鈍材４１と、後行する第２の被焼鈍材４２と、さらに後行する第３の被焼鈍材４３とにおいて、上述のステップＳＴ１における制約炉速の制約発生タイミングと制約終了タイミングとが被焼鈍材の長手方向に沿った位置情報として設定されている。なお、図５中、出側制約、中央制約、および入側制約において、制約発生タイミングを「発生」、制約終了タイミングを「終了」と表記する。また、上述のステップＳＴ２における設定変更点が、第１の被焼鈍材４１、第２の被焼鈍材４２、および第３の被焼鈍材４３において、それぞれの先端から例えば１００ｍごとにそれぞれ、設定変更点ａ1〜ａ12、設定変更点ｂ1〜ｂ10、および設定変更点ｃ1〜ｃ11として設定されている。これらの各種設定は、外部から入力された情報データとしてプロセスコンピュータ２０に記憶されている。
【００５７】
次に、図４に示すステップＳＴ３に移行して、プロセスコンピュータ２０は、設定された設定変更点ａ1〜ｃ11ごとに、入側制約炉速と中央制約炉速と出側制約炉速とから生じる制約炉速を相互に比較し、最も速度が小さい制約炉速を求めて、初期最適炉速とする。このとき、プロセスコンピュータ２０は初期炉速設定手段として機能する。
【００５８】
すなわち、図５に示すように、第１の被焼鈍材４１の設定変更点ａ1，ａ2においては、出側制約および入側制約が生じておらず、中央制約が生じているので、このときの中央制約炉速を設定変更点ａ1，ａ2における初期最適炉速とする。設定変更点ａ3においては、出側制約および中央制約が生じ、入側制約が生じていないため、このときの出側制約炉速と中央制約炉速との小さい方の炉速を設定変更点ａ3の初期最適炉速とする。設定変更点ａ4においては、入側制約および出側制約、および中央制約が生じているので、このときの入側制約炉速、出側制約炉速、および中央制約炉速の中の最も小さい炉速を、設定変更点ａ4の初期最適炉速とする。設定変更点ａ5においては、入側制約が生じ、出側制約および中央制約が生じていないため、このときの入側制約炉速を設定変更点ａ5の初期最適炉速とする。設定変更点ａ6においては、出側制約が発生しておらず、入側制約および中央制約が生じているので、このときの入側制約炉速と中央制約炉速との小さい方の炉速を設定変更点ａ6の初期最適炉速とする。また、設定変更点ａ7〜ａ12は、設定変更点ａ1，ａ2におけると同様にして初期最適炉速が決定される。
【００５９】
以上のような初期最適炉速の算出は、第２の被焼鈍材４２や第３の被焼鈍材４３においても同様にして行われる。すなわち、それぞれの設定変更点ｂ1〜ｂ10，ｃ1〜ｃ11において、入側制約炉速、出側制約炉速、および中央制約炉速のうちの発生している制約の中で比較が行われ、最も小さい制約炉速が初期最適炉速として求められる。なお、入側制約、出側制約、および中央制約のいずれも発生していない場合には、初期最適炉速は、設備上の制約炉速である設備による最高速度により制約されて決定される。
【００６０】
そして、設定変更点ａ1〜ａ12，ｂ1〜ｂ10，ｃ1〜ｃ11におけるそれぞれの初期最適炉速を用いて、炉速スケジュール初期計算が行われ、仮の炉速スケジュールが導出される。図６は、この仮の炉速スケジュールの導出以後の、図４のフローチャートに沿った炉速および炉温スケジュールの設定方法の一例を示すタイミングチャートである。
【００６１】
図６に示すように、ステップＳＴ３（図４参照）における初期最適炉速を設定変更点ごとに設定することによって、炉速スケジュール初期計算が行われ、図６中（１）に示す仮の炉速スケジュールが導出される。なお、図６中（２）に示す板温制約は、被焼鈍材ごとの諸元によって設定される板温上限値、板温目標値および板温下限値であり、オペレータなどによってプロセスコンピュータ２０に入力される情報データである。
【００６２】
図４に示すステップＳＴ３における設定変更点ごとの初期最適炉速の算出が終了して、仮の炉速スケジュールが設定されると、ステップＳＴ４に移行する。ステップＳＴ４においては、図６に示すように、（１）仮の炉速スケジュールと（２）板温制約とから、被焼鈍材の伝熱モデルによって、炉温上限算出手段、炉温下限算出手段および炉温設定手段として機能するプロセスコンピュータ２０により、設定変更点ごとの焼鈍炉６の炉温設定上限値、炉温設定下限値、および炉温目標値が算出される。これによって、図６中（３）に示す炉温制約が導出される。
【００６３】
図４に示すステップＳＴ４において炉温制約が導出されると、ステップＳＴ５に移行する。ステップＳＴ５においては、連続する被焼鈍材における接合部の前後において、炉温制約に基づく炉温設定下限値以上炉温設定上限値以下の範囲（炉温上下限幅）の重なりが所定値より大きいか否かが判定される。
【００６４】
具体例として、図５に示す第１の被焼鈍材４１と第２の被焼鈍材４２との接合部４１ａの前後、および第２の被焼鈍材４２と第３の被焼鈍材４３との接合部４２ａの前後において、炉温上下限幅の重なりを判定する場合について説明する。なお、以下の処理は、図４に示すプロセスコンピュータ２０により実行される。
【００６５】
まず、図６の（３）に示す炉温制約において、接合部４１ａの前後における炉温上下限幅、すなわち第１の被焼鈍材４１の後端部分の炉温上下限幅と、第２の被焼鈍材４２の先端部分の炉温上下限幅との重なりを算出する。この炉温上下限幅の重なりが所定値以下、具体的には、例えば５℃以下である場合（ステップＳＴ５：Ｎｏ）には、図４に示すステップＳＴ６に移行する。
【００６６】
ステップＳＴ６においては、炉温設定下限値が低い側の被焼鈍材における初期最適炉速を低下させて、この被焼鈍材の新たな炉速目標値として修正する。すなわち、図６の（３）に示す炉温制約においては、第１の被焼鈍材４１の後端の炉温設定下限値より第２の被焼鈍材４２の先端の炉温設定下限値の方が低いので、第２の被焼鈍材４２における炉速を低下させる。
【００６７】
その後、図４に示すステップＳＴ４に移行して、プロセスコンピュータ２０により、修正後の炉速スケジュールに基づいて、設定変更点（ｂ1〜ｂ10）ごとに第２の被焼鈍材４２における炉温上限値、炉温目標値、および炉温下限値が再計算されて、炉温スケジュールが修正される。これらのステップＳＴ４〜ＳＴ６は、接合部４１ａの前後における炉温上下限幅の重なりが所定値より大きくなるまで繰り返し実行される。以上により、第２の被焼鈍材４２の炉速スケジュールが図６の（４）に示す点線部から実線部に修正されて炉速スケジュール第１修正になるとともに、炉温制約が図６の（５）に示す点線部から実線部に修正されて炉温制約修正になる。この修正は、接合部４１ａの前後における炉温上下限幅の重なりが大きくなる方向に行われる。
【００６８】
第２の被焼鈍材４２の炉速スケジュールおよび炉温制約の修正後には、第２の被焼鈍材４２と第３の被焼鈍材４３との接合部４２ａの前後において、炉温上下限幅の重なりが所定値より大きいか否かの判定が行われる。この場合も上述した炉温制約の修正と同様に、接合部４２ａの前後における炉温上下限幅の重なりが所定値より大きくなるまで、ステップＳＴ４〜ＳＴ６が繰り返し実行され、第３の被焼鈍材４３の炉速スケジュールおよび炉温制約の修正が行われる。以上により、第３の被焼鈍材４３の炉速スケジュールが図６の（４）に示す点線部から実線部に示すように修正されて炉速スケジュール第１修正になるとともに、炉温制約が図６の（５）の点線部から実線部に示すように修正されて炉温制約修正となる。この修正は、接合部４２ａの前後における炉温上下限幅の重なりが大きくなる方向に行われる。
【００６９】
なお、上述したステップＳＴ４〜ＳＴ６の処理は、プロセスコンピュータ２０に情報が入力されているすべての被焼鈍材を対象にして繰り返し順次実行され、それぞれの被焼鈍材の炉速スケジュールおよび炉温制約が修正される。そして、図４に示すステップＳＴ５において、プロセスコンピュータ２０に情報が入力されているすべての被焼鈍材の接合部の前後で、修正された炉温制約に基づく炉温上下限幅の重なりが所定値より大きくなる（ステップＳＴ５：Ｙｅｓ）と、ステップＳＴ７に移行する。
【００７０】
ステップＳＴ７においては、被焼鈍材の炉温スケジュールにおける炉温の変更が、平滑に行われるように修正される。すなわち、焼鈍炉６においては炉温を急激に変化させることができず、炉温の上昇や下降の際の炉温の変化速さには制約がある。そこで、プロセスコンピュータ２０により、図６の（５）に示す炉温制約修正に基づいて、設定変更点ごとに、炉温を炉温設定上限値と炉温設定下限値との間にしつつ、炉温の変更部分の炉温の変化速さが、焼鈍炉６における炉温の変化速さの限度以下になるように修正される。これにより、図６の（６）に示す炉温スケジュール第１修正が導出される。その後、図４に示すステップＳＴ８に移行する。
【００７１】
ステップＳＴ８においては、ステップＳＴ７において修正された炉温スケジュールに基づいて、炉速スケジュールが修正され、炉温の変更に伴って炉速がなめらかに変化するように修正される。すなわち、焼鈍炉６において被焼鈍材の炉速を急激に変化させると、被焼鈍材の板温に悪影響を及ぼしてしまう。また、上述したように焼鈍炉６の炉温を急激に変化させることはできない。これらのことから、焼鈍材の炉速を加減速させる際の加速度にも限界がある。そこで、プロセスコンピュータ２０により、図６の（４）に示す炉速スケジュール第１修正は、設定変更点ごとの炉速の加速度が所定の限度以下になるように修正される。なお、この場合においても、炉速は入側制約、出側制約および中央制約により制約されていることから、設定変更点ごとの炉速はこれらの制約を満たしつつ修正される。以上により、図６中（４）に示す炉速スケジュール第１修正が図６の（７）の点線部から実線部に示すように修正され、炉速スケジュール第２修正が導出される。その後、図４に示すステップＳＴ９に移行する。
【００７２】
ステップＳＴ９においては、プロセスコンピュータ２０により、図６の（６）に示す炉温スケジュール第１修正と（７）に示す炉速スケジュール第２修正とから、伝熱モデルに基づいて被焼鈍材の板温の推移が算出され、図６中（８）に示す板温スケジュール修正が導出される。その後、図４に示すステップＳＴ１０に移行する。
【００７３】
ステップＳＴ１０においては、ステップＳＴ９で導出された図６中（８）に示す板温スケジュール修正における設定変更点ごとの被焼鈍材の板温が、図６中（２）に示す板温制約の板温上限値と板温下限値との間に含まれるか否かが判定される。そして、図６中（８）に示す板温スケジュール修正のうちで、図６中（２）に示す被焼鈍材ごとの板温の板温上限値と板温下限値との間から外れた部分が存在した場合（ステップＳＴ１０：Ｎｏ）、図４に示すステップＳＴ４に移行する。そして、都度修正される図６中（８）に示す板温スケジュールが、図６中（２）に示す被焼鈍材ごとの板温上限値と板温下限値との間から外れる部分がなくなるまで、ステップＳＴ４〜ＳＴ１０が繰り返し実行される。
【００７４】
以上のようにして被焼鈍材の炉速スケジュールおよび炉温スケジュールが決定され、これに基づいて、図１に示す連続焼鈍ラインにおける焼鈍炉６の炉速および炉温が制御される。すなわち、プロセスコンピュータ２０において最終的に導出された炉速スケジュール（図６中（７）炉速スケジュール第２修正）に基づいて、焼鈍を行っている時点から所定時間だけ後の炉速データ、具体的には例えば５秒後の炉速データが炉速設定部２１に常時供給され、焼鈍炉６内における被焼鈍材の炉速が制御される。同様に、プロセスコンピュータ２０において最終的に導出された炉温スケジュール（図６中（６）炉温スケジュール第１修正）に基づいて、焼鈍を行っている時点から所定時間だけ後の炉温データ、具体的には例えば１０分後の炉温データが炉温設定部２２に常時供給され、焼鈍炉６の加熱炉６ａおよび均熱炉６ｂの炉温が制御される。
【００７５】
以上説明したこの一実施形態による連続焼鈍ラインの制御方法によれば、連続する複数の被焼鈍材において、所定間隔ごとに設定変更点を設定し、設定変更点ごとに入側制約炉速、中央制約炉速、および出側制約炉速を比較して、初期最適炉速を導出した後、連続焼鈍ライン１の焼鈍炉６における炉温と焼鈍炉６内の被焼鈍材の炉速とを関連調和させて、被焼鈍材の板温が被焼鈍材ごとに決められた板温上限値と板温下限値との間に収まるように、炉温スケジュールおよび炉速スケジュールを決定していることにより、焼鈍炉６において被焼鈍材を焼鈍する際に、炉温と炉速とを最適に制御することが可能となる。
【００７６】
次に、この一実施形態による焼鈍ラインの制御方法において用いられる炉速スケジュール、炉温スケジュール、および板温スケジュールのガイダンス方法について説明する。図７は、このガイダンス方法によって図１に示すプロセスコンピュータ２０の表示部２０ａに表示されるガイダンス画面の主要部分を示し、図８は、表示部２０ａに表示されるガイダンス画面の全体を示す。
【００７７】
さて、従来の連続焼鈍ラインにおける設定値の表示としては、主に、コイル単位の設定変更の項目と、焼鈍炉における焼鈍の状態をリアルタイムの逐次設定替項目とをそれぞれ一覧表に表示したものであった。そのため、従来の設定値の表示では、設定変更のタイミングが不明確であり、上述したこの一実施形態によるスケジュールなどをガイダンスすることができなかったため、オペレータにとって、設定値の妥当性を判断するのが困難であった。
【００７８】
そこで、この一実施形態においては、炉速スケジュール、炉温スケジュール、およびこれらの制約スケジュールに基づき伝熱モデルによって導出された板温スケジュールを、同一のガイダンス画面に表示する。
【００７９】
すなわち、図７および図８に示すように、この一実施形態による連続焼鈍ラインのプロセスコンピュータ２０の表示部２０ａ（図１参照）には、被焼鈍材の送り量に沿って、炉速スケジュール、板温スケジュール、および炉温スケジュールが同一のスケジュール画面５１内に表示される。さらに、連続焼鈍ライン１に通板されている複数の被焼鈍材におけるそれぞれの被焼鈍材の諸元の一覧表５２がスケジュール画面５１と同一のガイダンス画面に表示される。
【００８０】
ガイダンス画面におけるスケジュール画面５１には、炉速スケジュールに沿って焼鈍材が搬送されつつ焼鈍が行われている時点（現在）を基準とした基準線が表示される。このスケジュール画面５１において、現在の基準線から過去の領域には、実際の制御実績が表示される。さらに、スケジュール画面５１において、現在の基準線から未来の領域には、将来に向かって炉温および炉速を制御するための、上述のスケジュールの設定方法によってプロセスコンピュータ２０により導出された炉速スケジュール、炉温スケジュール、および板温スケジュールが表示される。
【００８１】
なお、板温スケジュールにおいては、図７および図８において斜線部で示すように、被焼鈍材ごとに決定されている板温上限値と板温下限値との範囲が明確になるように表示される。これによって、オペレータは被焼鈍材ごとの板温がそれらの諸元によって決められた所定の範囲内に収まっているか否かを確認することができる。また、例えば、プロセスコンピュータ２０によって、ガイダンス画面の上部に表示される被焼鈍材の諸元の一覧表５２における被焼鈍材ごとの文字の表示色と、スケジュール画面５１の下部に表示される進捗棒グラフの色とが同色になるようにしてもよい。これにより、現在焼鈍されている被焼鈍材のスケジュールと被焼鈍材の諸元とを容易に対応させることができ、焼鈍中の被焼鈍材と他の被焼鈍材とを容易に識別することができる。また、例えば、スケジュール画面５１においては、連続焼鈍ラインにおける進行状況を示す横軸を、被焼鈍材の送り量としているが、代わりに時刻としてもよく、その場合には、基準線は現在時刻に設定される。
【００８２】
この一実施形態によるガイダンス方法によれば、オペレータは、被焼鈍材の焼鈍の進捗に従って、過去の焼鈍の実績と、未来の焼鈍における炉速スケジュール、炉温スケジュール、および板温スケジュールとを同時に認識することができるので、設定値の妥当性を容易に判断することが可能となる。
【符号の説明】
【００８３】
１  連続焼鈍ライン
２ａ，２ｂ  ペイオフリール
３  溶接機
４  クリーニングセクション
５  入側ルーパ
６  焼鈍炉
６ａ  加熱炉
６ｂ  均熱炉
６ｃ  冷却炉
７  ウォータークエンチ設備
８  出側ルーパ
９  スキンパスミル
１０  後処理部
１１ａ，１１ｂ  テンションリール
１２ａ，１２ｂ，１２ｃ，１２ｄ  テンションレベラ
１３ａ，１３ｂ  テンションコントロールユニット
２０  プロセスコンピュータ（プロコン）
２０ａ  表示部
２１  炉速設定部
２２  炉温設定部
３１  先行被焼鈍材
３２  後行被焼鈍材
３３，４１ａ，４２ａ  接合部
４１  第１の被焼鈍材
４２  第２の被焼鈍材
４３  第３の被焼鈍材
５１  スケジュール画面
５２  一覧表
ａ1〜ａ12，ｂ1〜ｂ10，ｃ1〜ｃ11  設定変更点
【図１】
0005842552.tif 000002
【図２】
0005842552.tif 000003
【図３】
0005842552.tif 000004
【図４】
0005842552.tif 000005
【図５】
0005842552.tif 000006
【図６】
0005842552.tif 000007
【図７】
0005842552.tif 000008
【図８】
0005842552.tif 000009